(57)【要約】【課題】１つのディスクで、ＨＤ ＤＶＤの情報もＤＶＤの情報も扱えるようにする。【解決手段】（１）光透過層と、第１レーザ光によりアクセスされる第１記録層と、中間層と、第２レーザ光によりアクセスされる第２記録層がレーザ光入射方向に順に配置された片面２層光ディスクであること（２）光入射面から第１記録層までの光透過層の距離が５５０〜５７５μｍであること（３）第１記録層と第２記録層の間の中間層の距離が２９〜４７μｍであること（４）第２記録層の面記録密度が第１記録層の面記録密度の３倍以上であること【選択図】    図７
2006092702.tif 000002
【特許請求の範囲】
【請求項１】
光透過層と、第１レーザ光によりアクセスされる第１記録層と、中間層と、第２レーザ光によりアクセスされる第２記録層がレーザ光入射方向に順に配置された片面２層光ディスクであって、
光入射面から第１記録層までの光透過層の距離が５５０〜５７５μｍであり、
第１記録層と第２記録層の間の中間層の距離が２９〜４７μｍであり、
第２記録層の面記録密度が第１記録層の面記録密度の３倍以上である
光ディスク。
【請求項２】
第１レーザ光に対する第１記録層の反射率は４５％以上であり、
第２レーザ光に対する第２記録層の反射率は８％以上である
請求項１に記載の光ディスク。
【請求項３】
第１レーザ光に対する第１記録層の反射率は、第２レーザ光に対する第２記録層の反射率よりも大きい
請求項１に記載の光ディスク。
【請求項４】
第２レーザ光に対する第１記録層の透過率は、第１レーザ光に対する第１記録層の透過率よりも大きい
請求項１に記載の光ディスク
【請求項５】
光ディスクに記録された情報を読み取る装置であって、
光ディスクは、光透過層と、第１レーザ光によりアクセスされる第１記録層と、中間層と、第２レーザ光によりアクセスされる第２記録層がレーザ光入射方向に順に配置され、
光入射面から第１記録層までの光透過層の距離が５５０〜５７５μｍであり、
第１記録層と第２記録層の間の中間層の距離が２９〜４７μｍであり、
第２記録層の面記録密度が第１記録層の面記録密度の３倍以上であり、
情報を読み取る装置は、第１レーザ光と第２レーザ光を発生可能な光ヘッドと、第１レーザ光か第２レーザ光を選択的に発生させる制御手段を備えた
光ディスク装置。
【請求項６】
制御手段は、ユーザインタフェースによる利用者入力に基づいて第１レーザ光か第２レーザ光を選択する
請求項５に記載の光ディスク装置。
【請求項７】
制御手段は、受け入れた光ディスクから情報の読み出しを試行する初期プロセスにおいて、第２レーザ光を選択する
請求項５または６に記載の光ディスク装置。
【請求項８】
制御手段は、初期プロセスにて情報を読み取れた場合、ユーザインタフェースより第１レーザ光を選択する利用者入力があるまでは、第２レーザ光を選択し続ける
請求項７に記載の光ディスク装置。
【発明の詳細な説明】
【技術分野】
【０００１】
この発明は、ＤＶＤのように映画や音楽などのデジタル化された映像音響作品などを蓄積する媒体となる光ディスクに関し、また光ディスクの記録情報を読み取る光ディスク装置に関する。
【背景技術】
【０００２】
＝＝＝ＤＶＤ規格の概要＝＝＝
周知のように、デジタル映像を蓄積する光ディスクとして、ＤＶＤ(デジタル多用途ディスク)があり、主に映画コンテンツの蓄積・配布（デジタル作品出版物）として全世界で幅広く使われている。このＤＶＤは、ＤＶＤフォーラムが作成した規格で、ＤＶＤ規格（ＤＶＤ Book）（www.dvdforum.org参照)として公開され、また国際規格やJISとしても定められている。ここでは、ＤＶＤ物理規格の１つである、１２０ｍｍＤＶＤ−ＲＯＭの国際規格、ＩＳ０／ＩＥＣ１６４４８に従って簡単に説明する。
【０００３】
１２０ｍｍＤＶＤ−ＲＯＭには、片面仕様で記録層が１層のものと２層のもの、そしてこれらを両面化したもの、合わせて４種類のディスクがある。映画などのコンテンツの蓄積配布では、主に片面仕様の２つのタイプがある。ディスクの容量は、片面１層のディスクで４.７ＧＢ、片面２層のディスクで各層４.２７ＧＢ（ディスクあたりは８.５４ＧＢ）である。
【０００４】
＝＝＝片面１層ＤＶＤ＝＝＝
図１に片面１層ＤＶＤディスク１０の基本構造と光ヘッドの関係を示す。よく知られているように、ＤＶＤディスク１０は、０.６ｍｍ厚のディスク基板２枚を貼り合せた構造をもつ。１つは信号基板１１、もう１つは、ダミー基板１４で、記録層２０を内側にして、接着層２５で貼り合されている。通常これらの基板は、射出成形機を用いて、ポリカーボネートというプラスチック材料で形成される。
【０００５】
なお、信号基板１１には、映像情報やデータ情報などが、エンボスピットという形で、スパイラルトラックに形成される。記録層の情報を読み取る赤色レーザ３０（波長：６５０ｎｍ）は、対物レンズ３５（ＮＡ：０．６）で絞られ、信号基板１１の光透過層１３を通して、記録層２０にフォーカスされる。
【０００６】
図２は、片面１層ディスクの入射面１２から見た記録層の位置を示す図である。（ａ）図は、従来から用いられているNormal single layerの場合で、光透過層１３の厚みの中心値は６００μｍで、入射面から最小５７０μｍ、最大６３０μｍの位置にある。この値は、対物レンズ３５の球面収差を考慮して定められている。最近、ＤＶＤ規格として、片面１層のディスクでも、（ｂ）図に示すように、記録層の中心値が５６５μｍで、入射面から最小５５０μｍ、最大５８０μｍにある、Thin single layerの場合が追加された（www.dvdforum.orgまたは、ＤＶＤ-Book参照)。
【０００７】
＝＝＝片面２層ＤＶＤ＝＝＝
図３は片面２層ディスク１５の基本構造と光ヘッドの関係を示す。よく知られているように、このディスクは、第１記録層２１と第２記録層２３をもち、ディスクの片面から、この２つの記録層にアクセスして信号の再生ができる。図示しているとおり、光の入射面１７から見ると、光透過層１８を通して、手前が第１記録層２１で、その奥側が第２記録層２３である。各記録層へのアクセスは、対物レンズ３５レンズアクチュエータで動かし、層間ジャンプさせることで実現している。
【０００８】
この２層ディスクの作製は、片面１層ディスクとほぼ同じように作成できるのが大きな特徴である。まず、射出成形機で、第１記録層２１の形成される信号基板１６と、第２記録層２３の形成される信号基板１１９を別々に作製する。次に、第１記録層２１には半透明膜、第２記録層２３には高反射率膜をつけ、その後両方の基板を、記録層を内側にして、中間層２５で貼り合わせれば完成である。
【０００９】
図４は、片面２層ディスクの入射面１７から見た記録層の位置を示す図である。入射面からみた第１記録層２１と第２記録層２３の位置は、対物レンズの球面収差や記録層間のクロストークを考慮し、第１記録層２１の位置は最小５５０μｍ、第２記録層２３の位置は、最大で６４０μｍに限定され、かつ２つの層間（中間層２５）の距離は、５５μｍ±１５μｍ（４０μｍ〜７０μｍ）と定められている。この中間層２５は、通常２つの基板を貼り合せたときにできる接着層の厚みで、実際の製造では、貼り合わせの精度と信号基板１６の成形精度を考慮して決められる。
【００１０】
＝＝＝記録層の反射率など＝＝＝
一方、記録層の反射率は、
１層ディスク：４５−８５％（PBS有り）、６０−８５％（PBS無し：円偏光）
２層ディスク：１８−３０％（PBS有り）、１８−３０％（PBS無し：円偏光）
と決められている。
【００１１】
また、ディスクの反射率(Reflectivity)を示す情報は、データフレームにある４バイトのＩＤ（Identification Data）のb29で、
0b：反射率が４０％より大きい場合（PBS有り）
1b：反射率が４０％以下の場合（PBS有り）
この他、ＩＤには、
Area type      b27−b26  
00b    In the Data area
01b    In the Lead -in area
10b    In the lead-out area 
11b    in the Middle area
Data type      b25
0b    Read-only data
1b    Other than read only data
Layer number   b24
0b    Layer0 of DL discs or on SL discs 
1b    Layer1 of DL discs
【００１２】
また、ディスクが１層か２層かを示す情報は、コントロールデータゾーンの(BP2)で、
Disc structureが定義され、b6-b5が記録層の数を示す。  
00b  Single
01b  Dual
Others:reserved
【００１３】
さらに、１層ディスクと２層ディスクでは、１層当たりの容量が異なるが、これは線記録密度の違いである。(BP3)に記録密度が定義されており、b7-b4が線記録密度で
0000b：0.267μm  (1層の場合の線記録密度）
0001b：0.293μm  (2層の場合の線記録密度)
となっている。
【００１４】
＝＝＝次世代ＤＶＤ＝＝＝
一方、最近よく報道されているように、ＨＤ映像（高精細）をディスク１枚に入れたいという要望から、青紫色半導体レーザ(以降、青紫色レーザ)を用いて、ＤＶＤの３倍以上の高密度化したＨＤ ＤＶＤが提案され、ＤＶＤフォーラムで規格化が行われている（www.dvdforum.org参照。まだ商品化されていない）。
【００１５】
ＨＤ ＤＶＤは、従来のＤＶＤとディスク構造を有し、容量は、片面１層ディスクが１５ＧＢ、両面２層ディスクが３０ＧＢである。これらの大容量化は、レーザ光の短波長化、高ＮＡ化、変調方式、新しい信号処理（PRML：Partial Response and Most Likelihood）などの新しい技術で実現されている。
【００１６】
図５に、片面２層ＨＤ ＤＶＤディスク４０の基本構造と光ヘッドの関係を示す。ＨＤ ＤＶＤは、ディスクから情報を読み出すレーザ光６０が赤色（６５０ｎｍ）から青紫色（４０５ｎｍ）へと短波長化したこと、対物レンズ６５のＮＡが０．６から０．６５と大きくなったことから、球面収差やチルトによるコマ収差などが異なる。このため、実際のディスクでは、第１記録層５１、第２記録層５３の位置や中間層５５の厚みなどがＤＶＤとは若干異なる。
【００１７】
図６は入射面４６から見た片面２層ＨＤ ＤＶＤディスクの記録層の位置を示している。短波長化、高NA化に伴い、球面収差が厳しくなったため、第１記録層５１の位置は、最小５７８μｍ、最大６２２μｍに限定され、２つの層間距離（中間層５５）は、２０μｍ±５μｍ（１５μｍ〜２５μｍ）と定められている。
【００１８】
＝＝＝既存ＤＶＤと次世代ＤＶＤ＝＝＝
このように、ＨＤ映像を蓄積可能な大容量のＨＤ ＤＶＤが提案され、新たにＨＤ ＤＶＤ用に設計されたＨＤ ＤＶＤ装置（ドライブあるいはプレーヤ）であれば、ＨＤ ＤＶＤディスクだけではなく、ＤＶＤについても読めるように設計することは可能である。しかし、このディスクは、ＤＶＤに比べ、記録密度、変調方式、信号処理、トラックフォーマットなどが大きく異なるため、従来のＤＶＤ装置（ドライブあるいはプレーヤ）では読み取ることができない。つまり、従来のＤＶＤ装置では、ＨＤ ＤＶＤディスクに収録されたＨＤ映画コンテンツだけではなく、従来のＤＶＤ映画コンテンツも読み取ることができないなどの課題があり、ＨＤ ＤＶＤを普及させる上で、阻害要因となっている。
【発明の開示】
【発明が解決しようとする課題】
【００１９】
この発明の目的は、上記のような課題に鑑みて、１つのディスクで、ＨＤ ＤＶＤの情報もＤＶＤの情報も扱えるようにすることにある。
【課題を解決するための手段】
【００２０】
この発明に係る光ディスクは、基本的に、つぎの事項（１）〜（４）により特定されるものである。  
（１）光透過層と、第１レーザ光によりアクセスされる第１記録層と、中間層と、第２レーザ光によりアクセスされる第２記録層がレーザ光入射方向に順に配置された片面２層光ディスクであること
（２）光入射面から第１記録層までの光透過層の距離が５５０〜５７５μｍであること
（３）第１記録層と第２記録層の間の中間層の距離が２９〜４７μｍであること
（４）第２記録層の面記録密度が第１記録層の面記録密度の３倍以上であること
【００２１】
また、この発明に係る光ディスクは、上記の事項を基本とし、つぎの事項（５）（６）を加えて実施することができる。  
（５）第１レーザ光に対する第１記録層の反射率は４５％以上であること
（６）第２レーザ光に対する第２記録層の反射率は８％以上であること
【００２２】
また、この発明に係る光ディスクは、上記の事項を基本とし、つぎの事項（７）を加えて実施することができる。  
（７）第１レーザ光に対する第１記録層の反射率は、第２レーザ光に対する第２記録層の反射率よりも大きいこと
【００２３】
また、この発明に係る光ディスクは、上記の事項を基本とし、つぎの事項（８）を加えて実施することができる。  
（８）第２レーザ光に対する第１記録層の透過率は、第１レーザ光に対する第１記録層の透過率よりも大きいこと
【００２４】
この発明に係る光ディスク装置は、つぎの事項（11）〜（16）により特定されるものである。  
（11）光ディスクに記録された情報を読み取る装置であること
（12）光ディスクは、光透過層と、第１レーザ光によりアクセスされる第１記録層と、中間層と、第２レーザ光によりアクセスされる第２記録層がレーザ光入射方向に順に配置されていること
（13）光入射面から第１記録層までの光透過層の距離が５５０〜５７５μｍであること
（14）第１記録層と第２記録層の間の中間層の距離が２９〜４７μｍであること
（15）第２記録層の面記録密度が第１記録層の面記録密度の３倍以上であること
（16）情報を読み取る装置は、第１レーザ光と第２レーザ光を発生可能な光ヘッドと、第１レーザ光か第２レーザ光を選択的に発生させる制御手段を備えること
【００２５】
また、この発明に係る光ディスク装置は、上記の事項を基本とし、つぎの事項（17）を加えて実施することができる。  
（17）制御手段は、ユーザインタフェースからの利用者入力に基づいて第１レーザ光か第２レーザ光を選択すること
【００２６】
また、この発明に係る光ディスク装置は、上記の事項を基本とし、つぎの事項（18）を加えて実施することができる。  
（18）制御手段は、受け入れた光ディスクから情報の読み出しを試行する初期プロセスにおいては、第２レーザ光を選択すること
【００２７】
また、この発明に係る光ディスク装置は、上記の事項を基本とし、つぎの事項（19）を加えて実施することができる。  
（19）制御手段は、初期プロセスにて情報を読み取れた場合、ユーザインタフェースより第１レーザ光選択する利用者入力があるまでは、第２レーザ光を選択し続けること
【発明の効果】
【００２８】
この発明によれば、片側から第１記録層（ＤＶＤ層に相当）に第１レーザ光（赤色レーザ）、第２記録層（ＨＤ ＤＶＤ層に相当）に第２レーザ光（青紫色レーザ）でアクセス可能な光ディスクを提供することができる。したがって、ＤＶＤの映画コンテンツと、ＨＤ ＤＶＤの映画コンテンツの両方を１つのディスクに入れることができる。つまり、ＳＤ映像とＨＤ映像の両方を扱えるコンビネーションディスクとなる。
【００２９】
そして、従来のＤＶＤ対応光ディスク装置では、ＤＶＤのコンテンツを再生し、新規なＨＤ ＤＶＤ対応光ディスク装置では、ＨＤ ＤＶＤの映画コンテンツ、またはＨＤ ＤＶＤとＤＶＤの映画コンテンツの両方を再生することができる。
【００３０】
たとえば、同じ映画コンテンツをＤＶＤコンテンツとＨＤ ＤＶＤコンテンツとして用意し、この２つの映画コンテンツを１枚のディスクにいれておけば、ＤＶＤ対応装置だけしか持っていないユーザはＤＶＤ映画コンテンツを見ることができ、一方、ＨＤ ＤＶＤ対応装置を持っているユーザは、ＨＤ ＤＶＤ映画コンテンツを見ることができる。
【００３１】
現在、ＨＤ ＤＶＤ対応装置を持っていないユーザでも、将来、ＨＤ ＤＶＤ対応装置を購入すれば、新たにＨＤ ＤＶＤディスクを購入しなくても、既に購入したディスクでＨＤの映像を楽しむことができ、ユーザにとってそのメリットは大きい。
【発明を実施するための最良の形態】
【００３２】
＝＝＝光ディスクの基本構成＝＝＝
図７にこの発明の一実施例による光ディスク７０と光ヘッドの関係を示す。光ディスク７０は、第１基板７１と第２基板７２で構成され、レーザ光の入射面７３に対し、近い方に半透明膜からなる第１記録層（ＤＶＤ層に相当）８１が形成されているとともに、遠い方に高反射膜からなる第２記録層（ＨＤ ＤＶＤ層に相当）８３が形成されている。
【００３３】
図８は赤色レーザ光３０で第１記録層（ＤＶＤ層）８１を再生したときの状態、図９は青紫色レーザ光６５で第２記録層（ＨＤ ＤＶＤ層）８３を再生したときの状態を示す。まず、ＨＤ ＤＶＤ層８３が青紫色レーザ光で再生できるためには、図６から、最小５７８μｍ、最大６２２μｍの間になければならない（球面収差の制限）。また、ＤＶＤ層８１は、図２の（ｂ）Thin single layerの場合、最小５５０μｍ、最大５８０μｍの間になければならない（最小５５０μｍは球面収差の制限）。一方、中間層８５は、ＤＶＤ層８１とＨＤ ＤＶＤ層８３の間で生じるクロストークを考慮して決められ、ＨＤ ＤＶＤの場合は、１５μｍ以上、ＤＶＤの場合は４０μｍとなっているが、いずれも光学系に依存する。
【００３４】
第１基板７１はＤＶＤ層８１が形成されるが、同時に、ＨＤ ＤＶＤ層８３を再生する青紫レーザ光も通過する。そこで、この基板の成形精度を考慮し、光透過層８７は、最小５５０μｍ、最大を５７５μｍとした。つまり、ＤＶＤ層８１の位置は、入射面７３から、５５０μｍ〜５７５μｍにある。±１２.５μｍの成形精度は、Thin single layerの±15μmよりは厳しいが、ＨＤ ＤＶＤの±９.５μｍ（中間層の最大値２５μｍの場合）よりは緩和されている。
【００３５】
中間層８５の厚さは、ＨＤ ＤＶＤ層８３の位置が、５７８μｍ〜６２２μｍになければならないことを考慮すると、最小値：５７８μｍ−５５０μｍ＝２８μｍ、最大値：６２２μｍ−５７５μｍ＝４７μｍとなる。このことは、ＤＶＤ信号基板７１の成形精度を上げれば、中間層８５の最大値はその分増加し、逆に、成形精度が悪ければ、その最大値は減少する。
【００３６】
＝＝＝反射率など＝＝＝
次に、すでに大量に市販されている従来のＤＶＤ装置で、この光ディスクが片面１層のThin single layerディスク として認識されるためには、図８に示すように、赤色レーザ光３０に対し、ＤＶＤ層８１からの信号光Irsは４５％以上なければならない。一方、同じ光ディスクに青紫色レーザ光６０を照射した場合、図９に示すように、ＨＤ ＤＶＤ層８３からの信号光Ibsは、この光でフォーカス及びトラッキングサーボがかかり、かつ信号が再生できなければならない。
【００３７】
青紫色レーザ光に対するＨＤ ＤＶＤ規格の反射率の規定は、
ＨＤ ＤＶＤ−ＲＯＭの場合
片面１層ディスク  ４０％−７０％（複屈折を含む）
片面２層ディスク  １８％−３２％（複屈折を含む）  
ＨＤ ＤＶＤ Rewritable（at System lead in area）      
片面１層ディスク  ４％−８％ （複屈折を含む）
となっている。
【００３８】
本発明の光ディスクの場合は、ＨＤ ＤＶＤ層の位置を、ＨＤ ＤＶＤ−ＲＯＭの片面２層ディスクと同じにしたので、反射率がこの規定に収まるのが望ましい。しかしながら、この光ディスクのＨＤ ＤＶＤ層については、ＨＤ ＤＶＤがまだ商品化されていないことから、ＨＤ ＤＶＤ規格に新たな規定を盛り込むことが可能である。その場合、反射率の下限値は、Rewritableディスクより大きい必要がある。
【００３９】
図４に示す片面層ＤＶＤディスクの場合、再生光が赤色レーザ光３０なので、普通、第１記録層２１は、半透明膜としてＡｕかＳｉなどが使われ、高反射膜の第２記録層２３は、コストの安いＡｌ合金が用いられる。
【００４０】
ところが、図６に示すＨＤ ＤＶＤの場合、ＡｕやＳｉでは、青紫色レーザ光に対し適度な範囲で半透明層を作るのが難しい。そのため、最近では、半透明膜の第１記録層５１は、Ａｇ合金で形成され、高反射膜の第２記録層５３は、Ａｇ合金またはＡｌ合金などが使われている。
【００４１】
以下、光ディスク７０のＤＶＤ層（半透明膜）５１をＡｇ合金で作り、ＨＤ ＤＶＤ層 (高反射率) ５３をＡｌ合金で作った場合について示す。  
図８に、赤色レーザ光３０を光ディスク７０に入射させたときの様子を示す。入射面での反射率（Rrs）は、第１基板７１の赤色レーザ光３０に対する屈折率で定まり、４.８％（反射防止なし）、光透過層８７はＨＤ ＤＶＤ層の光透過層としても使われるので、複屈折をダブルパス６０ｎｍとすると、複屈折による振幅低下は最大で８.２％となる。従って、ＤＶＤ層８１からの信号光Irsが、入射光Irの４５％以上となるためには、ＤＶＤ層の反射率Rr1は、５３．７％(= 45% /(0.952２×0.925）)となる。
【００４２】
次に、半透明なＤＶＤ層５１の赤色レーザ光３０に対する透過率は４６％（Rr1が53.7%の時）、Ａｌ合金で形成された高反射膜のＨＤ ＤＶＤ層５３の反射率は８５％なので、ＨＤ ＤＶＤ層５３からのノイズ光Irnは、入射光Irの１５％（＝0.952２×0.925×0.46２×0.85×100％）となる。この値は、図４の片面２層ＤＶＤディスクに比べると、概ね半分程度である。
【００４３】
次に、図９に青紫色レーザ光６５を入射させたときの様子を示す。青紫色レーザ光６５に対しては、入射面での反射率（Rbs）は５．３％、光透過層８７の複屈折による振幅低下は最大で２０％（ダブルパスで60nm）、半透明膜ＤＶＤ層の反射率Rb1は４８．２％なのでＤＶＤ層の光透過率３８．６％となる。高反射膜で形成されたＨＤ ＤＶＤ層の反射率Rb2は８８％とすると、信号光Ibsは入射光Ibに対し、９．３％（＝0.947２×0.8×0.386２×0.87×100％）となる。また、ＤＶＤ層からのノイズ光Ibnは、入射光Ibに対し、３４．６％（＝0.947２×0.8×0.482×100％）となる。
【００４４】
もし、複屈折率をRewritableディスクと同じ、４０ｎｍに抑えたとすれば、複屈折による振幅低下は、９．３％となり、上記の計算値を１．１３倍すればよい。そうすると信号光Ibsは１０．５％、ノイズ光Ibnは３９．１％となる。
【００４５】
＝＝＝層間クロストークと中間層＝＝＝
次に、層間クロストークと中間層の厚みについて考えてみる。図８で、赤色レーザ光でＤＶＤ層８１を再生しているとき、この層を通り抜けた光が奥側のＨＤ ＤＶＤ層８３で反射し、再びＤＶＤ層８１を通過する。再生光学系は、ＤＶＤ層８１を光検出器面上に結像する役目を持っているので、ＨＤ ＤＶＤ層８３で反射したノイズ光Irnは、中間層の厚みの２乗で光検出器に寄与する。
【００４６】
図４に示す片面２層ＤＶＤディスクでは、中間層の最小値を４０μｍと定めており、この値で、層間クロストークは問題とならないレベルとなっている。そして、２つの層からの反射光は概ね等しくなるように、第１記録層２１の反射率が決められている。
【００４７】
図８で示すように、赤色レーザ光３０でＤＶＤ層８１を再生した場合、ＨＤ ＤＶＤ層８３からのノイズ光Irnは、入射光の１５％である。ＤＶＤ層８１からの信号光Irsの４５％に比べ、１／３（=15/45）である（複屈折：６０ｎｍ）。この値は、中間層の最小値４０μｍに対し、これが２３μｍ(＝40μm /√3)まで小さくなっても、層間クロストーク量が同じであることを示している。
【００４８】
次に、図９に示すように、青紫色レーザ光６５でＨＤ ＤＶＤ層８３を再生する場合、信号光Ibsは、入射光の９．３％である。一方、ノイズ光Ibnは入射光の３４．６％なので、信号光Ibsの３．７２倍にもなる。ＨＤ ＤＶＤ規格の規定では、中間層の最小値は１５μｍなので、ノイズ光を同等のレベルまで下げるには、中間層の最小値を、２８．９μｍ（＝15μm×√3.72）にすればよい。すなわち、中間層が２９μｍ〜４７μｍの間にあれば、層間スロストークは問題とならない。
【００４９】
実際の場合は、ＨＤ ＤＶＤでも接着の精度を±３μｍ程度まで高めることが可能であり、中間層の最小値を１９μｍ程度まで高めているので、中間層の厚さを４０±５μｍ程度にするのが望ましい。
【００５０】
＝＝＝フラグ情報＝＝＝
次に、本発明の光ディスクのフラグのセットについて説明する。ＤＶＤ層８１は、通常の片面１層ＤＶＤとして扱う必要があり、Data frameのＩＤ及びControl data zone のPhysical format informationの（BP２）は、片面１層ディスクとして設定する。  
一方、ＨＤ ＤＶＤ層８３は、Data frameのＩＤ及びControl data zone のPhysical format informationの(BP２)は、片面１層ディスクとして設定する。
【００５１】
この発明に係る光ディスクがＤＶＤ層とＨＤ ＤＶＤ層の２つの層を持っていることを示すフラグは、Control data zone のPhysical format informationにある（BP２）Disc structureの中で、reservedになっているビットを使うのが望ましい。reservedは２箇所あり、b7とLayer typeの中で使われていない、b3である。このビットは、ＲＯＭだけではなくRewritableやＲなどでもreserved となっており、影響がないものと思われる。  
（BP2) Disc structure
b3       0b  reserved
1b  第１層にＤＶＤ層、第２層にＨＤ ＤＶＤ層
【００５２】
＝＝＝ＤＶＤ規格の光ディスク装置による再生＝＝＝
次に、本発明のディスクを従来のＤＶＤ装置で再生する場合について、図１０及び図１１を使って説明する。図１０はよく知られている従来のＤＶＤ装置の主要構成を示し、図１１はその動作フローとフォーカスサーボについて示している。
【００５３】
従来のＤＶＤ装置に本発明の光ディスク７０が装填されると、スピンドルモータ１００が所定の回転数まで回転する。次に、フォーカスＡＣＴ１１６に周期的な駆動電流が流され、光ヘッドが軸方向に上下する。再生信号から作ったフォーカス信号206が周期的に現れる。ＤＶＤ層からのフォーカス信号レベルはＨＤ ＤＶＤ層からの信号レベルに比べ、３倍も大きいので、大半のＤＶＤ装置は、このディスクを片面１層ＤＶＤディスクと認識し、２０７に示すように、ＤＶＤ層へのフォーカスサーボをオンにする。
【００５４】
そうするとわずかな整定時間を置いて、オンフォーカスとなる２１０。続いて、トラッキングサーボがオンとなり、ディスクの適当な位置にオントラッキングする２１１。この状態で、Data frameのＩＤを読み ２２０、ディスクのArea type, Reflectivity, Layer numberなどをチェックし、続いて、Radial ＡＣＴ １１７を駆動し、Lead in areaに移動させる２２１。Control data zoneに移動し２２２、Physical format informationの（BP2）Number of layer, Layer typeを読み、片面１層ＤＶＤディスクであることを確認し、ＤＶＤ映像を再生する２２３。
【００５５】
装置によっては、ＨＤ ＤＶＤ層の信号レベルが小さいにもかかわらず、片面２層ＤＶＤディスクと判断し、ＨＤ ＤＶＤ層を読みに行く場合もある。しかしながら、ＨＤ ＤＶＤ層からは、所定の信号が得られないので、再び、ＤＶＤ層にフォーカシングし、ＤＶＤ層を読むことになり、問題はない。
【００５６】
＝＝＝ＨＤ ＤＶＤ規格の光ディスク装置による再生＝＝＝
次に、青紫色レーザ光を用いたＨＤ ＤＶＤ装置の場合について、図１２及び図１３を用いて説明する。ます、フォーカスＡＣＴ１１６に周期的な駆動電流を流す。そして、フォーカス信号から２つの記録層があり、かつそのレベルの違いから、本発明のディスクであることを認識する。この場合、再生信号のゲインを調節し２３０、ＨＤ ＤＶＤ層へフォーカスをオンにする２４０。わずかな整定時間を置いて、オンフォーカスとなる。続いてトラッキングサーボをオンにすると２４１、適当な位置でオントラッキング状態となる。
【００５７】
続いて、Data frameのＩＤを読み２５０、ディスクのArea type, Reflectivity, Layer numberなどをチェックし、続いて、Radial ＡＣＴ１１７を駆動し、Lead in areaに移動させる２５１。Control data zoneに移動し２５２、Physical format informationの（BP2）b3,  Number of layer, Layer typeを読み、片面1層HD DVDディスクであることを確認し、ＨＤ ＤＶＤ映像を再生する２５３。
【００５８】
＝＝＝ＤＶＤとＨＤ ＤＶＤの両規格に対応した光ディスク装置による再生＝＝＝
次に、図１４、図１５を用いて、赤色レーザ光と青紫色レーザ光の両方を用いる本発明に係るコンパチ装置について説明する。このコンパチ装置においては、まず、青紫色レーザ光を先にオンにし、フォーカスＡＣＴ１１６を駆動する。
【００５９】
そして、フォーカス信号から、本発明のディスクと判断する２０３。再生信号のゲインを調整して２３０、ＨＤ ＤＶＤ層にフォーカスオンする２４０。その後、トラッキングオンにして２４１、Data frameのＩＤを読み２５０、Lead in areaに移動し２５１、Control data zoonのPhysical format informationを読む２５２。(BP2) Disc structure のLayer typeのb3のフラグから、本発明のディスクの確認を行う。つづいて、Number of layer, Layer typeを確認し、今アクセスしているのがＨＤ ＤＶＤ層であることを認識し、ＨＤ ＤＶＤの映像を再生する２５３ことになる。
【００６０】
次に、ユーザが入力端末１９０を使ってＤＶＤを選択すると１９１、再生信号のゲインを調整し２０５、ＤＶＤ層にフォーカスオン２１０、トラッキングオンし２１１、Data frameのＩＤチェック２２０、続いてLead in へ移動し２２１、Control data zone のフラグをチェックし２２２、ＤＶＤの映像を再生する。ユーザがＨＤ ＤＶＤを選択すれば１９２、先に示した方法でＨＤ ＤＶＤの映像を再生する２５３ことができる。
【００６１】
以上のように、本発明によれば、１枚の光ディスクにＤＶＤとＨＤ ＤＶＤを形成することができ、既存のＤＶＤ装置ではＤＶＤ層を再生し、ＨＤ ＤＶＤ規格に対応したＨＤ ＤＶＤ装置ではＨＤ ＤＶＤ層を再生し、この発明に係るコンパチ装置では、ＤＶＤ層とＨＤ ＤＶＤ層の両方を再生することができ、既存のＤＶＤ規格の製品群と新規なＨＤ ＤＶＤ規格の製品群とが両立しつつ、ＨＤ ＤＶＤ規格の製品群が一般利用者にスムーズに普及することを促すことができる。
【００６２】
＝＝＝他の実施形態＝＝＝
上記の実施例では、第１記録層の半透明膜をＡｇ合金で形成した場合を説明した。しかしながら、２つの波長の異なるレーザ光に対し、選択的に反射率、透過率が設定できれば更に効率よく働かすことができる。
【００６３】
例えば、第１記録層を多重干渉膜などで形成すれば、第１レーザ光（赤色レーザ光）に対する反射率を、第２レーザ光（青紫色レーザ光）より高くすることができ、また、第２レーザ光に対する第１記録層の透過率を、第１レーザ光に対する透過率よりも高く設定することもできる。
【図面の簡単な説明】
【００６４】
【図１】片面１層ＤＶＤディスクの基本構造と光ヘッドの関係を示す図である。
【図２】片面１層ＤＶＤディスクの記録層の位置を示す図である。
【図３】片面２層ＤＶＤディスクの基本構造と光ヘッドの関係を示す図である。
【図４】片面２層ＤＶＤディスクの記録層の位置を示す図である。
【図５】片面２層ＨＤ ＤＶＤディスクの基本構造と光ヘッドの関係を示す図である。
【図６】片面２層ＨＤ ＤＶＤディスクの記録層の位置を示す図である。
【図７】本発明の光ディスクと再生光学系の関係を示す図である。
【図８】本発明の光ディスクと赤色レーザ光の関係を示す図である。
【図９】本発明の光ディスクと青紫レーザ光の関係を示す図である。
【図１０】ＤＶＤ規格の光ディスク装置の構成図である。
【図１１】ＤＶＤ規格の光ディスク装置の動作の流れを示す図である。
【図１２】ＨＤ ＤＶＤ規格の光ディスク装置の構成図である。
【図１３】ＨＤ ＤＶＤ規格の光ディスク装置の動作の流れを示す図である。
【図１４】本発明に係る光ディスク装置の構成図である。
【図１５】本発明に係る光ディスク装置の動作の流れを示す図である。
【符号の説明】
【００６５】
３０    赤色レーザ光                  ３５    対物レンズ（ＮＡ：０．６）
６０    青紫色レーザ光                ６５    対物レンズ（ＮＡ：０．６５）
７０    本発明の光ディスク            ７１    第１基板
７２    第２基板                      ７３    光入射面
８１    第１記録層                    ８３    第２記録層
８５    中間層                        ８７    光透過層
１００  スピンドルモータ              １０２  モータドライバ
１１０  光ヘッド                      １１１  対物レンズ
１１３  光ヘッド光学系                １１５  ＬＤ及びＰＤ
１１６  Ｆ／Ｔ  ＡＣＴ（フォーカス／トラッキングアクチュエータ）
１１７  Ｒａｄｉａｌ  ＡＣＴ及びキャリッジ
１１８  ＡＣＴ  ドライバ              １２０  再生信号アンプおよびＬＤドライバ
１３０  信号処理回路                  １４０  データ処理回路
１５０  ＡＶデコーダ                  １６０  ＡＶアンプ
１７０  サーボコントローラ            １８０  システムコントローラ
１９０  入力端末（ＤＶＤ／ＨＤ ＤＶＤ切換え機能）
１９１  ＤＶＤへの切換え信号          １９２  ＨＤ ＤＶＤへの切換え信号 
【図８】
2006092702.tif 000003
【図９】
2006092702.tif 000004
【図１０】
2006092702.tif 000005
【図１１】
2006092702.tif 000006
【図１２】
2006092702.tif 000007
【図１３】
2006092702.tif 000008
【図１４】
2006092702.tif 000009
【図１５】
2006092702.tif 000010
【図１】
2006092702.tif 000011
【図２】
2006092702.tif 000012
【図３】
2006092702.tif 000013
【図４】
2006092702.tif 000014
【図５】
2006092702.tif 000015
【図６】
2006092702.tif 000016
【図７】
2006092702.tif 000017